(57)【要約】【課題】ユーザーの意図に応じて簡易に画像の一部を変化させた画像を生成することが可能な画像処理装置等を提供すること。【解決手段】画像処理装置１０２が、第１の画像を示す第１の画像情報と、第２の画像を示す第２の画像情報を入力する画像情報入力部１１０と、前記第１の画像情報と、前記第２の画像情報に基づき、前記第１の画像と前記第２の画像とで異なる領域を示す領域データ１２４を生成する領域データ生成部１３０と、領域データ１２４と、前記第１の画像情報に基づき、前記第１の画像における前記領域のうちの少なくとも一部を変化させた第３の画像を生成する画像生成部１５０を含んで構成される。【選択図】図１
2010147517.tif 000002
【特許請求の範囲】
【請求項１】
第１の画像を示す第１の画像情報と、第２の画像を示す第２の画像情報を入力する画像情報入力部と、
前記第１の画像情報と、前記第２の画像情報とに基づき、前記第１の画像と前記第２の画像とで異なる領域を示す領域データを生成する領域データ生成部と、
前記領域データと、前記第１の画像情報とに基づき、前記第１の画像における前記領域のうちの少なくとも一部を変化させた第３の画像を生成する画像生成部と、
を含む、
画像処理装置。
【請求項２】
第１の画像を示す第１の画像情報を入力する画像情報入力部と、
前記第１の画像情報に基づき、前記第１の画像に含まれる対象となる色、模様、形状のうちの少なくとも１つを有する領域を示す領域データを生成する領域データ生成部と、
前記領域データと、前記第１の画像情報とに基づき、前記第１の画像における前記領域のうちの少なくとも一部を変化させた第３の画像を生成する画像生成部と、
を含む、
画像処理装置。
【請求項３】
請求項１、２のいずれかに記載の画像処理装置において、
前記画像生成部に前記第３の画像を生成させる制御部を含み、
前記制御部は、前記画像情報入力部が入力する画像情報に前記第３の画像の生成指示を示す指示画像が含まれる場合は前記画像生成部に前記第３の画像を生成させ、前記画像情報入力部が入力する画像情報に前記指示画像が含まれない場合は前記画像生成部に当該画像情報に基づく画像を生成させる、
画像処理装置。
【請求項４】
請求項３に記載の画像処理装置において、
前記画像生成部は、前記第３の画像として、前記領域のうち、前記指示画像の領域以外の領域を塗りつぶした画像を生成する、
画像処理装置。
【請求項５】
請求項１〜４のいずれかに記載の画像処理装置において、
前記画像生成部は、操作情報と、前記領域データと、前記第１の画像情報とに基づき、前記領域のうちの少なくとも一部を変化前の状態に戻した第４の画像を生成する、
画像処理装置。
【請求項６】
請求項１〜５のいずれかに記載の画像処理装置と、
前記画像生成部によって生成された画像を投写する投写部と、
を含む、
プロジェクター。
【請求項７】
請求項１〜５のいずれかに記載の画像処理装置と、
前記第１の画像情報を生成する撮像部と、
を含む、
書画カメラ。
【請求項８】
コンピューターを、
第１の画像を示す第１の画像情報と、第２の画像を示す第２の画像情報とに基づき、前記第１の画像と前記第２の画像とで異なる領域を示す領域データを生成する領域データ生成部と、
前記領域データと、前記第１の画像情報とに基づき、前記第１の画像における前記領域のうちの少なくとも一部を変化させた第３の画像を生成する画像生成部として機能させる、
プログラム。
【請求項９】
コンピューターを、
第１の画像を示す第１の画像情報に基づき、前記第１の画像に含まれる対象となる色、模様、形状のうちの少なくとも１つを有する領域を示す領域データを生成する領域データ生成部と、
前記領域データと、前記第１の画像情報とに基づき、前記第１の画像における前記領域のうちの少なくとも一部を変化させた第３の画像を生成する画像生成部として機能させる、
プログラム。
【請求項１０】
コンピューターにより読み取り可能なプログラムを記憶した情報記憶媒体であって、
請求項８、９のいずれかのプログラムを記憶した、
情報記憶媒体。
【発明の詳細な説明】
【技術分野】
【０００１】
本発明は、画像処理装置、プロジェクター、書画カメラ、プログラムおよび情報記憶媒体に関する。
【背景技術】
【０００２】
例えば、特開２０００−１１５６０３号公報では、書画カメラが撮像対象物を撮像して撮像画像を生成し、プロジェクターが当該撮像画像を投写することが記載されている。
【特許文献１】特開２０００−１１５６０３号公報
【発明の開示】
【発明が解決しようとする課題】
【０００３】
このような書画カメラとプロジェクターを用いて問題と解答が印刷された印刷資料を用いた授業が行われる場合、先生は、解答部分を隠して表示した後、解答部分を表示するためには、事前に問題のみ記載された印刷資料と、問題と解答の記載された印刷資料を作成しておかなければならず、準備に時間がかかっていた。
【０００４】
また、例えば、１枚の印刷資料に複数の問題と解答が印刷されている場合、先生が、すべての解答部分に付箋紙等を貼り付け、１問ずつ付箋紙を取り外しながら答え合わせを行うためには、付箋紙を外す作業と印刷資料を書画カメラの載置台に置く作業を問題ごとに繰り返さなければならず多大な手間がかかっていた。
【０００５】
本発明の目的は、ユーザーの意図に応じて簡易に画像の一部を変化させた画像を生成することが可能な画像処理装置、プロジェクター、書画カメラ、プログラムおよび情報記憶媒体を提供することにある。
【課題を解決するための手段】
【０００６】
上記課題を解決するため、本発明に係る画像処理装置は、第１の画像を示す第１の画像情報と、第２の画像を示す第２の画像情報を入力する画像情報入力部と、前記第１の画像情報と、前記第２の画像情報とに基づき、前記第１の画像と前記第２の画像とで異なる領域を示す領域データを生成する領域データ生成部と、前記領域データと、前記第１の画像情報とに基づき、前記第１の画像における前記領域のうちの少なくとも一部を変化させた第３の画像を生成する画像生成部と、を含むことを特徴とする。
【０００７】
また、本発明に係るプロジェクターは、上記画像処理装置と、前記画像生成部によって生成された画像を投写する投写部と、を含むことを特徴とする。
【０００８】
また、本発明に係る書画カメラは、前記画像処理装置と、前記第１の画像情報を生成する撮像部と、を含むことを特徴とする。
【０００９】
また、本発明に係るプログラムは、コンピューターを、第１の画像を示す第１の画像情報と、第２の画像を示す第２の画像情報とに基づき、前記第１の画像と前記第２の画像とで異なる領域を示す領域データを生成する領域データ生成部と、前記領域データと、前記第１の画像情報とに基づき、前記第１の画像における前記領域のうちの少なくとも一部を変化させた第３の画像を生成する画像生成部として機能させることを特徴とする。
【００１０】
また、本発明に係る情報記憶媒体は、コンピューターにより読み取り可能なプログラムを記憶した情報記憶媒体であって、上記プログラムを記憶したことを特徴とする。
【００１１】
本発明によれば、プロジェクター等は、２つの画像で異なる領域を示す領域データを生成して当該異なる領域を変化させた第３の画像を生成することにより、ユーザーはあらかじめ第３の画像を生成する必要がない。これにより、プロジェクター等は、ユーザーの意図に応じて簡易に画像の一部を変化させた画像を生成することができる。
【００１２】
また、本発明に係る画像処理装置は、第１の画像を示す第１の画像情報を入力する画像情報入力部と、前記第１の画像情報に基づき、前記第１の画像に含まれる対象となる色、模様、形状のうちの少なくとも１つを有する領域を示す領域データを生成する領域データ生成部と、前記領域データと、前記第１の画像情報とに基づき、前記第１の画像における前記領域のうちの少なくとも一部を変化させた第３の画像を生成する画像生成部と、を含むことを特徴とする。
【００１３】
また、本発明に係るプロジェクターは、上記画像処理装置と、前記画像生成部によって生成された画像を投写する投写部と、を含むことを特徴とする。
【００１４】
また、本発明に係る書画カメラは、前記画像処理装置と、前記第１の画像情報を生成する撮像部と、を含むことを特徴とする。
【００１５】
また、本発明に係るプログラムは、コンピューターを、第１の画像を示す第１の画像情報に基づき、前記第１の画像に含まれる対象となる色、模様、形状のうちの少なくとも１つを有する領域を示す領域データを生成する領域データ生成部と、前記領域データと、前記第１の画像情報とに基づき、前記第１の画像における前記領域のうちの少なくとも一部を変化させた第３の画像を生成する画像生成部として機能させることを特徴とする。
【００１６】
また、本発明に係る情報記憶媒体は、コンピューターにより読み取り可能なプログラムを記憶した情報記憶媒体であって、上記プログラムを記憶したことを特徴とする。
【００１７】
本発明によれば、プロジェクター等は、画像内で対象となる領域を示す領域データを生成して当該領域を変化させた第３の画像を生成することにより、ユーザーはあらかじめ第３の画像を生成する必要がない。これにより、プロジェクター等は、ユーザーの意図に応じて簡易に画像の一部を変化させた画像を生成することができる。
【００１８】
また、前記画像処理装置は、前記画像生成部に前記第３の画像を生成させる制御部を含み、前記制御部は、前記画像情報入力部が入力する画像情報に前記第３の画像の生成指示を示す指示画像が含まれる場合は前記画像生成部に前記第３の画像を生成させ、前記画像情報入力部が入力する画像情報に前記指示画像が含まれない場合は前記画像生成部に当該画像情報に基づく画像を生成させてもよい。
【００１９】
これによれば、画像処理装置等は、指示画像が含まれる場合に第３の画像を生成し、指示画像が含まれない場合に通常の画像を生成することにより、ユーザーの意図に応じて画像を生成することができる。
【００２０】
また、前記画像生成部は、前記第３の画像として、前記領域のうち、前記指示画像の領域以外の領域を塗りつぶした画像を生成してもよい。
【００２１】
これによれば、画像処理装置等は、例えば、解答部分を塗りつぶした画像を生成することができる。
【００２２】
また、前記画像生成部は、操作情報と、前記領域データと、前記第１の画像情報とに基づき、前記領域のうちの少なくとも一部を変化前の状態に戻した第４の画像を生成してもよい。
【００２３】
これによれば、画像処理装置等は、領域を一旦変化させた後に元の状態に戻すことができる。これにより、画像処理装置等は、例えば、問題と解答を示す画像の解答部分を隠した状態で画像を生成した後、解答部分も表示する画像を生成することができる。
【発明を実施するための最良の形態】
【００２４】
以下、本発明をプロジェクターと書画カメラに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２５】
（第１の実施例）
まず、プロジェクターが、書画カメラから原画像（第１の画像）を示す原画像情報（第１の画像情報）と、当該原画像の一部を変化させた部分変化画像（第２の画像）を示す部分変化画像情報（第２の画像情報）を入力し、原画像と部分変化画像とで異なる領域を塗りつぶして表示する実施例について説明する。
【００２６】
図１は、第１の実施例における書画カメラ２００とプロジェクター１００の機能ブロック図である。書画カメラ２００は、操作部２７０と、撮像対象物を撮像して第１の画像を示す第１の画像情報や、当該第１の画像の一部を変化させた部分変化画像を示す部分変化画像情報を生成する撮像部２８０と、撮像部２８０からの画像情報をプロジェクター１００に出力する出力部２９０を含んで構成されている。
【００２７】
プロジェクター１００は、書画カメラ２００から画像情報を入力する画像情報入力部１１０と、第１の画像情報と、部分変化画像情報に基づき、第１の画像と部分変化画像とで異なる領域を示す領域データ１２４を生成する領域データ生成部１３０と、画像データ１２２、領域データ１２４等を記憶する記憶部１２０と、種々の制御を行う制御部１４０と、種々の画像を生成する画像生成部１５０と、種々の画像を投写する投写部１６０を含んで構成されている。また、画像情報入力部１１０、記憶部１２０、領域データ生成部１３０、制御部１４０および画像生成部１５０は画像処理装置１０２として形成されている。
【００２８】
なお、プロジェクター１００および書画カメラ２００は、これらの各部の機能を、以下のハードウェアを用いて実装してもよい。例えば、プロジェクター１００は、画像情報入力部１１０はＵＳＢインターフェイス、無線ＬＡＮユニット等、記憶部１２０はＲＡＭ等、領域データ生成部１３０、制御部１４０はＣＰＵ等、画像生成部１５０は画像処理回路等、投写部１６０はランプ、液晶パネル、液晶駆動回路、レンズ等を用いて実装してもよい。
【００２９】
また、例えば、書画カメラ２００は、操作部２７０は操作ボタン等、撮像部２８０はＣＭＯＳカメラ等、出力部２９０はＵＳＢインターフェイス、無線ＬＡＮユニット等を用いて実装してもよい。また、プロジェクター１００と書画カメラ２００との間の伝送路は、無線ＬＡＮ等の無線伝送路であってもよいし、ＵＳＢケーブル等の有線伝送路であってもよい。
【００３０】
また、プロジェクター１００は、領域データ生成部１３０等の機能を情報記憶媒体３００に記憶されたプログラムを読み取って実装してもよい。このような情報記憶媒体３００としては、例えば、ＣＤ−ＲＯＭ、ＤＶＤ−ＲＯＭ、ＲＯＭ、ＲＡＭ、ＨＤＤ等を適用できる。
【００３１】
次に、原画像と部分変化画像とで異なる領域を塗りつぶして表示する際のプロジェクター１００の処理手順について説明する。図２は、第１の実施例におけるプロジェクター１００の処理手順を示すフローチャートである。
【００３２】
ユーザーは、２つの問題と各問題の解答が記載された原紙の左上に部分非表示画像の生成を指示する星印の描かれた付箋紙を貼り、解答部分に黄色の付箋紙を貼り、書画カメラ２００の載置台に当該原紙を置く。なお、付箋紙は、貼り付けと取り外しが可能な用紙である。
【００３３】
撮像部２８０は、常時または一定時間ごとに載置台に置かれた撮像対象物を撮像して撮像画像を示す画像情報を生成する。出力部２９０は、常時または一定時間ごとに画像情報をプロジェクター１００に出力する。
【００３４】
図３は、第１の実施例における原画像４００の一例を示す図である。また、図４は、第１の実施例における部分変化画像４１０の一例を示す図である。例えば、原画像４００は、原紙の撮像画像であり、部分変化画像４１０は、星印の描かれた付箋紙を示すマーク（指示画像）４２０や黄色の付箋紙を示す付箋紙画像４３０、４３１を含む。
【００３５】
制御部１４０は、画像情報入力部１１０によって書画カメラ２００から画像情報が入力されたかどうかを判定し（ステップＳ１）、画像情報が入力された場合はプロジェクター１００が操作可能モードかどうかを判定する（ステップＳ２）。なお、プロジェクター１００は、通常は通常モード、部分変化画像４１０が入力された場合は部分非表示モード、部分非表示の画像を投写中で操作に応じて変化前の状態に戻す場合は操作可能モードに設定されるものとする。初回は通常モードであるため、操作可能モードではない。なお、モードは、例えば、制御部１４０が、制御部１４０の内部や記憶部１２０に記憶したフラグの値を変更することによって設定してもよい。
【００３６】
画像情報入力部１１０は、画像情報を画像データ１２２の一部として記憶部１２０に記憶する（ステップＳ４）。制御部１４０は、画像データ１２２に基づき、最新の画像情報にマーク４２０があるかどうかを判定する（ステップＳ５）。例えば、制御部１４０は、画像の左上の所定領域内のＲＧＢ値を検索してマーク４２０の有無を判定してもよい。
【００３７】
マーク４２０がある場合、制御部１４０は、プロジェクター１００を部分非表示モードに設定する（ステップＳ６）。以上のように、ユーザーが原紙の左上に星印の描かれた付箋紙を貼った場合、プロジェクター１００は、部分非表示モードに設定される。
【００３８】
次に、ユーザーは、原紙に貼り付けた付箋紙を取り外して書画カメラ２００の載置台に当該原紙を置く。プロジェクター１００は、原画像（原紙の画像）を示す原画像情報を入力する。
【００３９】
この場合、制御部１４０は、ステップＳ５の判定でマークなしと判定し、部分非表示モードかどうかを判定する（ステップＳ７）。この場合、部分非表示モードであるため、制御部１４０は、領域データ生成部１３０に領域データ１２４を生成させる。領域データ生成部１３０は、画像データ１２２に基づき、領域データ１２４を生成する。具体的には、例えば、領域データ生成部１３０は、画像データ１２２に含まれる原画像情報と部分変化画像情報に基づき、原画像４００と部分変化画像４１０で異なる領域を示す領域データ１２４を生成する（ステップＳ８）。
【００４０】
領域データ１２４は、例えば、マーク４２０の左上座標位置、幅、高さを示すデータと、付箋紙画像４３０、４３１の左上座標位置、幅、高さを示すデータであってもよい。
【００４１】
また、部分非表示モードの場合、画像生成部１５０は、画像データ１２２、領域データ１２４に基づき、部分非表示の画像（第３の画像）を生成し、投写部１６０は、当該画像を投写する（ステップＳ９）。
【００４２】
図５は、第１の実施例における画像５００の一例を示す図である。例えば、画像生成部１５０は、領域データ１２４に基づき、マーク４２０の部分をマーク４２０の周囲の色（例えば、白等）で塗りつぶし、付箋紙画像４３０、４３１の部分を任意の色（例えば、黒、周囲の色等）で塗りつぶして画像（第３の画像）５００を生成する。画像５００では、マーク４２０の部分は周囲の色である白で塗りつぶされ、付箋紙画像４３０、４３１の部分は黒で塗りつぶされている。すなわち、画像５００では、ユーザーが隠すように付箋紙を貼った解答部分は原画像４００と比べて変化した状態になっている。
【００４３】
また、制御部１４０は、部分非表示の画像５００が投写された際に、プロジェクター１００を操作可能モードに設定する（ステップＳ１０）。
【００４４】
次に、ユーザーは、書画カメラ２００の操作ボタンを押す。出力部２９０は、操作部２７０からの操作情報をプロジェクター１００に出力する。入力部１９０は、当該操作情報を入力する。
【００４５】
制御部１４０は、画像処理装置１０２に入力された情報が画像情報でない場合、操作情報であるかどうかを判定する（ステップＳ１２）。操作情報である場合、制御部１４０は、プロジェクター１００が操作可能モードであるかどうかを判定する（ステップＳ１３）。
【００４６】
操作可能モードである場合、画像生成部１５０は、操作情報、原画像の画像データ１２２、領域データ１２４に基づき、非表示を解除した（変化前の状態に戻した）画像を生成し、投写部１６０は、当該画像を投写する（ステップＳ１４）。
【００４７】
図６は、第１の実施例における画像５０１の他の一例を示す図である。また、図７は、第１の実施例における画像５０２の他の一例を示す図である。例えば、画像５００が投写された状態で、ユーザーが操作ボタンを１回操作した場合、画像生成部１５０は、１つ目の塗りつぶし領域の塗りつぶしを解除した画像（第４の画像）５０１を生成する。また、ユーザーが操作ボタンを２回操作した場合、画像生成部１５０は、１つ目と２つ目の塗りつぶし領域の塗りつぶしを解除した画像（第４の画像）５０２を生成する。なお、塗りつぶし領域の順番は、例えば、領域データ１２４で示される左上の座標位置に応じて決定されてもよい。
【００４８】
このように、ユーザーは、一時的に解答部分を非表示にした状態で、自分のボタン操作によって順番に解答を表示することができる。
【００４９】
なお、操作可能モードで新たな画像を示す画像情報が入力された場合、制御部１４０は、プロジェクター１００を通常モードに設定する（ステップＳ３）。また、部分非表示モード以外のモードで画像情報が入力された場合、画像生成部１５０は、画像データ１２２に基づき、通常の画像を生成し、投写部１６０は、当該画像を投写する（ステップＳ１１）。
【００５０】
プロジェクター１００は、電源ボタンのオフ等によって終了すべきかどうかを決定する（ステップＳ１５）。
【００５１】
以上のように、本実施例によれば、プロジェクター１００は、２つの画像で異なる領域を示す領域データ１２４を生成して当該異なる領域を隠した領域変化画像を生成することにより、ユーザーはあらかじめ領域変化画像を生成する必要がない。これにより、プロジェクター１００は、ユーザーの意図に応じて簡易に画像の一部を隠した画像を生成することができる。
【００５２】
また、本実施例によれば、プロジェクター１００は、指示画像（マーク４２０）が含まれる場合に領域変化画像を生成し、指示画像が含まれない場合に通常の画像を生成することにより、ユーザーの意図に応じて画像を生成、投写することができる。
【００５３】
また、本実施例によれば、プロジェクター１００は、領域を一旦塗りつぶして投写した後に元の状態に戻すことができる。これにより、プロジェクター１００は、問題と解答を示す画像の解答部分を隠した状態で画像を生成した後、解答部分も表示する画像を生成することができる。
【００５４】
特に、本実施例によれば、ユーザーは、原紙に付箋紙を貼り付ける作業と付箋紙を取り外す作業を行うだけで、２回の読み取りで複数の問題の提示と答え合わせを行うことができるため、画像の編集等の複雑な操作を行うことなく、より簡易にプロジェクター１００と書画カメラ２００を使用することができる。
【００５５】
（第２の実施例）
第１の実施例では、画像処理装置１０２がプロジェクター１００に含まれていたが、画像処理装置１０２の機能が書画カメラに実装されてもよい。また、第１の実施例では、２種類の用紙の撮像を行ったが、書画カメラ等は、１種類の用紙の撮像で第１の実施例と同様の作用効果を奏することも可能である。
【００５６】
次に、書画カメラが主体となって１種類の用紙の撮像で第１の実施例と同様の処理を実行する実施例について説明する。
【００５７】
図８は、第２の実施例における書画カメラ２０１とプロジェクター１０１の機能ブロック図である。書画カメラ２０１は、操作部２７１と、撮像部２８１と、画像処理装置１０２と同様の画像処理装置２０２と、出力部２９１を含んで構成されている。
【００５８】
また、画像処理装置２０２は、画像情報入力部２１０と、画像データ２２２、領域データ２２４等を記憶する記憶部２２０と、領域データ生成部２３０と、制御部２４０と、画像生成部２５０を含んで構成されている。
【００５９】
また、プロジェクター１０１は、書画カメラ２０１から画像情報等を入力する入力部１９１と、画像情報に基づいて画像を生成する画像生成部１５２と、画像を投写する投写部１６１を含んで構成されている。
【００６０】
なお、これらの各部のハードウェア構成は第１の実施例と同様であるため、説明を省略する。また、書画カメラ２０１は、情報記憶媒体３０１からプログラムを読み取って画像処理装置２０２の機能を実装してもよい。
【００６１】
次に、対象となる色を有する領域を塗りつぶして表示する際の書画カメラ２０１の処理手順について説明する。図９は、第２の実施例における書画カメラ２０１の処理手順を示すフローチャートである。
【００６２】
ユーザーは、２つの問題と各問題の解答が記載された原紙の左上に部分非表示画像の生成を指示する星印の描かれた付箋紙を貼り、解答部分を黄色のマーカーで半透明に塗りつぶす。図１０は、第２の実施例における原画像（第１の画像）４０１の一例を示す図である。この場合の原画像４０１は、図１０に示すように、マーク（指示画像）４２０が表示され、解答部分が黄色のマーカーで半透明に塗りつぶされた状態になる。
【００６３】
画像情報入力部２１０は、操作部２７１からの情報に基づき、操作がないかどうかを判定し（ステップＰ１）、操作がない場合は撮像部２８１からの画像情報（第１の画像情報）を入力して画像データ２２２として記憶部２２０に記憶する（ステップＰ２）。
【００６４】
制御部２４０は、画像データ２２２に基づき、画像にマーク４２０が含まれているかどうかを判定する（ステップＰ３）。画像にマーク４２０が含まれている場合、領域データ生成部２３０は、制御部２４０からの制御命令に応じて画像データ２２２に基づき、領域データ２２４を生成する（ステップＰ４）。具体的には、例えば、領域データ生成部２３０は、一時非表示とすべき領域の色（ここでは、マーカーによる黄色が原紙に塗られた色）と一致した色で囲まれた領域を一時非表示とすべき領域として決定してもよい。
【００６５】
画像生成部２５０は、画像データ２２２、領域データ２２４に基づき、部分非表示の画像（第３の画像）を示す画像情報（例えば、ＲＧＢ信号等）を生成する（ステップＰ５）。なお、この部分非表示の画像は、例えば、図５の画像５００と同様の画像である。
【００６６】
制御部２４０は、部分非表示の画像を示す画像情報が生成された際、書画カメラ２０１を操作可能モードに設定する（ステップＰ６）。出力部２９１は、画像情報をプロジェクター１０１に出力する（ステップＰ１１）。
【００６７】
入力部１９１は、書画カメラ２０１からの画像情報を入力し、画像生成部１５２は、画像情報に基づき、画像を生成し、投写部１６１は、当該画像を投写する。これにより、画像５００と同様の画像が投写される。
【００６８】
ユーザーは、問題１の解答を示すため、書画カメラ２０１の操作ボタンを押す。操作があった場合、制御部２４０は、操作可能モードかどうかを判定する（ステップＰ９）。操作可能モードの場合、画像生成部２５０は、制御部２４０からの制御命令に応じて、操作情報、画像データ２２２、領域データ２２４に基づき、１つ目の塗りつぶし領域の塗りつぶしを解除した画像を示す画像情報を生成する（ステップＰ１０）。出力部２９１は、当該画像情報をプロジェクター１０１に出力する（ステップＰ１１）。
【００６９】
入力部１９１は、書画カメラ２０１からの画像情報を入力し、画像生成部１５２は、画像情報に基づき、画像を生成し、投写部１６１は、当該画像を投写する。
【００７０】
図１１は、第２の実施例における画像５０３の一例を示す図である。１つ目の塗りつぶし領域の塗りつぶしを解除した（変化前の状態に戻した）画像（第４の画像）５０３では、１つ目の塗りつぶし領域であった１つ目の解答部分は黄色の半透明状態（変化前の状態）で表示され、２つ目の塗りつぶし領域は黒で表示される。
【００７１】
また、ユーザーが操作ボタンを２回操作した場合、画像生成部２５０は、１つ目と２つ目の塗りつぶし領域の塗りつぶしを解除した画像を示す画像情報を生成する。この場合、プロジェクター１０１は、２つの解答部分を黄色の半透明状態で表示する画像を投写する。
【００７２】
なお、ユーザーがマーク４２０のない原紙を書画カメラ２０１の載置台に置いた場合、画像生成部２５０は、画像データ２２２に基づく画像情報を生成し（ステップＰ７）、制御部２４０は、書画カメラ２０１を通常モードに設定し（ステップＰ８）、出力部２９１は、当該画像情報をプロジェクター１０１に出力する（ステップＰ１１）。
【００７３】
以上のように、本実施例によれば、書画カメラ２０１は、第１の実施例のプロジェクター１００と同様の作用効果を奏することができる。また、本実施例によれば、書画カメラ２０１は、１種類の原紙の撮像で部分変化画像を示す画像情報を生成することができるため、ユーザーは、より効率的にプレゼンテーション等を行うことができる。
【００７４】
また、本実施例によれば、ユーザーは、一時的に隠したい部分をマーカーで塗りつぶすだけで当該マーカー部分を一時的に隠した画像を表示することができるため、画像の編集等の複雑な操作を行うことなく、より簡易にプロジェクター１０１と書画カメラ２０１を使用することができる。
【００７５】
（その他の実施例）
なお、本発明の適用は上述した実施例に限定されず、種々の変形が可能である。例えば、第１の実施例の処理を書画カメラが主体的に実行してもよいし、第２の実施例の処理をプロジェクターが主体的に実行してもよい。また、第１の実施例と第２の実施例を組合せてもよい。例えば、書画カメラが一時非表示の領域を判定して当該領域を示す情報をプロジェクターに通知し、プロジェクターが当該情報に基づいて一時非表示の領域を非表示にして画像を投写してもよい。
【００７６】
また、マークあり（ステップＳ３、ステップＰ３）と判定された場合、プロジェクター１００、１０１は、ユーザーに部分非表示を行うかどうかを選択させる画像を投写し、操作部２７０、２７１は、ユーザーの操作に応じて当該選択を示す操作情報を生成してもよい。
【００７７】
これによれば、プロジェクター１００、１０１は、ユーザーの選択に応じて部分非表示を行うことにより、より確実にユーザーの意図に応じた画像の投写を行うことができる。
【００７８】
また、指示画像は、マーク４２０には限定されず、任意の色、任意の模様、任意の形状であってもよい。例えば、指示画像は、バーコードや２次元コード等であってもよく、一時非表示とすべき領域の色等を示す２次元コード等であってもよい。また、指示画像は必須ではなく、画像生成部１５０は、第１の画像と第２の画像で異なる領域を塗りつぶして第３の画像を生成してもよいし、画像生成部２５０は、第１の画像で対象となる色等を有する領域を塗りつぶして第３の画像を生成してもよい。
【００７９】
また、一時非表示の対象となる領域も、任意の色、任意の模様、任意の形状のうちの少なくとも１つを有する領域であってもよい。また、ユーザーが、一時非表示の対象とする色、模様、形状を指定してもよい。例えば、制御部２４０は、指示画像（例えば、星印等）の色と一致する色を有する領域を一時非表示の対象となる領域として決定してもよい。
【００８０】
また、第３の画像における第１の画像からの変化は、塗りつぶしには限定されず、例えば、下線や模様等の付加、色等の変更、点滅等であってもよい。また、ユーザーが、領域をどのように変化させるかを指定してもよい。例えば、制御部２４０は、指示画像（例えば、２次元コード等）で指定された変化方法に応じて変化対象となる領域をどのように変化させるかを決定してもよい。
【００８１】
また、上述した実施例では、１回の操作ごとに１つの非表示領域の非表示を解除する方式が採用されているが、１回の操作ですべての非表示領域の非表示を解除する方式が採用されてもよい。また、非表示領域の非表示を解除する操作は、書画カメラ２００、２０１での操作には限定されず、例えば、プロジェクター１００、１０１での操作、リモートコントローラーやマウス等による操作等であってもよい。
【００８２】
また、上述した画像情報を生成する装置は、書画カメラ２００、２０１には限定されず、例えば、デジタルカメラ、デジタルビデオカメラ、カメラ付き携帯電話、スキャナー等であてもよい。また、上述した画像を生成する装置は、プロジェクター１００、１０１には限定されず、例えば、ＰＣ(Personal Computer)、テレビ等であってもよい。また、これらの装置に画像処理装置１０２、２０２が実装されてもよい。
【００８３】
また、プロジェクター１００、１０１は、液晶プロジェクター（透過型、ＬＣＯＳ等の反射型）には限定されず、例えば、ＤＭＤ(Digital Micromirror Device)を用いたプロジェクター等であってもよい。なお、ＤＭＤは米国テキサス・インスツルメンツ社の商標である。
【図面の簡単な説明】
【００８４】
【図１】第１の実施例における書画カメラとプロジェクターの機能ブロック図である。
【図２】第１の実施例におけるプロジェクターの処理手順を示すフローチャートである。
【図３】第１の実施例における原画像の一例を示す図である。
【図４】第１の実施例における部分変化画像の一例を示す図である。
【図５】第１の実施例における画像の一例を示す図である。
【図６】第１の実施例における画像の他の一例を示す図である。
【図７】第１の実施例における画像の他の一例を示す図である。
【図８】第２の実施例における書画カメラとプロジェクターの機能ブロック図である。
【図９】第２の実施例における書画カメラの処理手順を示すフローチャートである。
【図１０】第２の実施例における原画像の一例を示す図である。
【図１１】第２の実施例における画像の一例を示す図である。
【符号の説明】
【００８５】
１００、１０１  プロジェクター、１０２、２０２  画像処理装置、１１０、２１０  画像情報入力部、１２０、２２０  記憶部、１２２、２２２  画像データ、１２４、２２４  領域データ、１３０、２３０  領域データ生成部、１４０、２４０  制御部、１５０、２５０  画像生成部、１６０  投写部、２００、２０１  書画カメラ、２７０、２７１  操作部、２８０、２８１  撮像部、２９０、２９１  出力部、３００、３０１  情報記憶媒体、４００、４０１  原画像（第１の画像）、４１０  部分変化画像（第２の画像）、４２０  マーク（指示画像）、４３０、４３１  付箋紙画像、５００  画像（第３の画像）、５０１〜５０３  画像（第４の画像）
【図１】
2010147517.tif 000003
【図２】
2010147517.tif 000004
【図３】
2010147517.tif 000005
【図４】
2010147517.tif 000006
【図５】
2010147517.tif 000007
【図６】
2010147517.tif 000008
【図７】
2010147517.tif 000009
【図８】
2010147517.tif 000010
【図９】
2010147517.tif 000011
【図１０】
2010147517.tif 000012
【図１１】
2010147517.tif 000013